(57)【要約】【課題】帯電部材を容易に清掃することができる感光体ユニットを提供すること。【解決手段】  前後方向に並ぶ４つの感光ドラム７と、感光ドラム７にトナーを供給するための現像カートリッジ６を着脱可能に収容するカートリッジ収容部２７とを有するドラムユニット５において、感光ドラム７に対向配置されるスコロトロン型帯電器１１に、帯電ワイヤ３５を清掃する清掃部材４１と、対応する現像カートリッジ６がカートリッジ収容部２７に装着されているときには操作不能であり、対応する現像カートリッジ６がカートリッジ収容部２７から離脱されたときに操作可能に露出される操作部材４２とを備える。【選択図】図４
2013134365.tif 000002
【特許請求の範囲】
【請求項１】
第１軸線を中心として回転可能な第１感光体を有する第１画像形成部と、前記第１軸線と平行な第２軸線を中心として回転可能な第２感光体を有し、前記第１軸線および前記第２軸線に直交する直交方向における前記第１画像形成部の一方側に並列配置される第２画像形成部とを備える感光体ユニットであって、
前記第１画像形成部は、
前記第１感光体に対向配置される帯電器と、
前記第１感光体に対向配置されるカートリッジ収容部であって、前記第１感光体に現像剤を供給するための現像カートリッジを着脱可能に収容するカートリッジ収容部と、
を備え、
前記帯電器は、
所定の電圧が印加される帯電部材と、
前記帯電部材を清掃するための清掃部材と、
前記清掃部材を操作するための操作部材と
を備え、
前記操作部材は、前記現像カートリッジが前記カートリッジ収容部に装着されているときには操作不能であり、前記現像カートリッジが前記カートリッジ収容部から離脱されたときに操作可能に前記カートリッジ収容部内において露出されることを特徴とする感光体ユニット。
【請求項２】
前記操作部材は、前記現像カートリッジが前記カートリッジ収容部に装着されているときに前記現像カートリッジに対向される操作部を備えることを特徴とする、請求項１に記載の感光体ユニット。
【請求項３】
前記帯電器は、前記帯電部材を挟んで前記感光体とは反対側に形成される第１開口部を有し、
前記第１画像形成部は、前記第１開口部に連通される通気部を有し、
前記操作部は、前記通気部に対して、前記帯電器の反対側に配置されていることを特徴とする、請求項２に記載の感光体ユニット。
【請求項４】
前記操作部材は、
前記清掃部材を支持する清掃部材支持部と、
前記操作部と前記清掃部材支持部とを連結する連結部と
を備え、
前記連結部は、前記通気部内に配置されていることを特徴とする、請求項３に記載の感光体ユニット。
【請求項５】
前記操作部材は、前記第１軸線および前記第２軸線と平行な軸線方向に沿って、操作されていないときに配置される待機位置と、操作されているときに配置される清掃位置とに移動可能であり、
前記通気部は、前記直交方向他方側へ向かって開放される第２開口部を有し、
前記第２開口部は、前記操作部材が前記待機位置に配置されているときに閉鎖され、前記操作部材が前記待機位置から前記清掃位置へ移動されるときに開放されることを特徴とする、請求項４に記載の感光体ユニット。
【請求項６】
前記通気部は、
前記連結部に対して前記第１感光体と反対側に配置され、前記直交方向他端部において第１端縁を有する第１壁と
前記連結部に対して前記直交方向他方側に配置され、前記第１端縁に対向される第２端縁を有する第２壁と
を備え、
前記第１壁は、前記操作部材が前記待機位置に配置されているときに、前記第１端縁が前記第２端縁に当接される当接位置に配置され、前記操作部材が前記待機位置から前記清掃位置へ移動されるときに、前記第１端縁が前記第２端縁から離間される離間位置へ移動され、
前記第２開口部は、前記第１壁が前記離間位置に配置されたときに、前記第１端縁と前記第２端縁とによって区画されることを特徴とする、請求項５に記載の感光体ユニット。
【請求項７】
前記操作部材は、前記操作部材が前記待機位置から前記清掃位置へ移動されるときに、前記第１端縁を前記第２端縁から離間させるように押圧する押圧部を備えていることを特徴とする、請求項６に記載の感光体ユニット。
【請求項８】
前記第２端縁は、前記操作部材の移動を案内することを特徴とする、請求項６または７に記載の感光体ユニット。
【請求項９】
前記第１壁は、前記通気部から前記帯電器へ向かう気流を前記軸線方向において均一化する整流部材を備え、
前記整流部材は、
前記第１壁が前記当接位置に配置されているときには、前記軸線方向から見て、前記連結部と重なるように配置され、
前記第１壁が前記離間位置に配置されているときには、前記軸線方向から見て、前記連結部に対して前記第１感光体と反対側に配置されていることを特徴とする、請求項６ないし８のいずれか一項に記載の感光体ユニット。
【請求項１０】
前記第１端縁と前記第２端縁とが当接するように前記第１壁を前記第２壁に向かって付勢する付勢部材を備えることを特徴とする、請求項６ないし９のいずれか一項に記載の感光体ユニット。
【請求項１１】
前記通気部は、
前記連結部に対して前記第１感光体と反対側に配置され、前記直交方向他端部において第１端縁を有する第１壁と
前記連結部に対して前記直交方向他方側に配置され、前記第１端縁に対向される第２端縁を有する第２壁と
を備え、
前記第２壁は、前記操作部材が前記待機位置に配置されているときに、前記第２端縁が前記第１端縁に当接される当接位置に配置され、前記操作部材が前記待機位置から前記清掃位置へ移動されるときに、前記第２端縁が前記第１端縁から離間される離間位置へ回動され、
前記第２開口部は、前記第１壁が前記離間位置に配置されたときに、前記第１端縁と前記第２端縁とによって区画される
ことを特徴とする、請求項５に記載の感光体ユニット。
【請求項１２】
前記操作部材は、前記操作部材が前記待機位置から前記清掃位置へ移動されるときに、前記第２壁を前記第１壁から離間させるように押圧する押圧部を備えていることを特徴とする、請求項１１に記載の感光体ユニット。
【請求項１３】
前記第２壁は、前記通気部から前記帯電器へ向かう気流を前記軸線方向において均一化する整流部材を備え、
前記整流部材は、
前記第２壁が前記当接位置に配置されているときには、前記軸線方向から見て、前記連結部と重なるように配置され、
前記第２壁が前記離間位置に配置されているときには、前記軸線方向から見て、前記連結部に対して前記直交方向他方側に配置されていることを特徴とする、請求項１１または１２に記載の感光体ユニット。
【請求項１４】
前記第１端縁と前記第２端縁とが当接するように前記第２壁を前記第１壁に向かって付勢する付勢部材を備えることを特徴とする、請求項１１ないし１３のいずれか一項に記載の感光体ユニット。
【請求項１５】
前記通気部は、
前記連結部に対して前記直交方向他方側に配置され、前記第２開口部を有する壁部と、
前記操作部材に連結され、前記第２開口部を開閉する開閉部材と
を備え、
前記開閉部材は、前記操作部材が前記待機位置に配置されているときに、前記第２開口部を閉鎖する閉位置に配置され、前記操作部材が前記待機位置から前記清掃位置へ移動されるときに、前記第２開口部を開放する開位置へ移動されることを特徴とする、請求項５に記載の感光体ユニット。
【請求項１６】
前記操作部は、その前記第１感光体側の端部から、前記直交方向他方側へ突出する突出部を有することを特徴とする、請求項５ないし１５のいずれか一項に記載の感光体ユニット。
【請求項１７】
前記突出部は、前記操作部材が前記待機位置よりも前記清掃位置側に配置されているときに、前記現像カートリッジと干渉するように構成されていることを特徴とする請求項１６に記載の感光体ユニット。
【発明の詳細な説明】
【技術分野】
【０００１】
本発明は、電子写真方式が採用される画像形成装置に備えられる感光体ユニットに関する。
【背景技術】
【０００２】
電子写真方式の画像形成装置として、複数の感光体を有するタンデム型の感光体ユニットと、複数の現像ユニットとを備えるカラープリンタが知られている。
【０００３】
このようなカラープリンタとしては、例えば、各色に対応する４つの感光ドラムを備えるドラムユニットと、各感光ドラムに対応する４つの現像ユニットとを備えるレーザプリンタが知られている（たとえば、下記特許文献１参照。）。
【０００４】
このレーザプリンタでは、ドラムユニットは、各感光ドラムに対応するスコロトロン型帯電器を備えている。スコロトロン型帯電器には、帯電器ワイヤを清掃するためのワイヤクリーナが設けられている。
【先行技術文献】
【特許文献】
【０００５】
【特許文献１】特開２００７−７２４２０号公報
【発明の概要】
【発明が解決しようとする課題】
【０００６】
しかるに、上記した特許文献１に記載のレーザプリンタでは、ワイヤクリーナの把持部は、対応する感光ドラムの右側の感光ドラムに対応する現像ユニット、つまり、異なる色に対応する現像ユニットに対向されている。
【０００７】
そのため、帯電器ワイヤを清掃するためには、異なる色に対応する現像ユニットを離脱させてから、ワイヤクリーナを操作する必要があり、ワイヤクリーナの操作がわかりにくく、煩雑である。
【０００８】
そこで、本発明の目的は、帯電部材を容易に清掃することができる感光体ユニットを提供することにある。
【課題を解決するための手段】
【０００９】
（１）上記した目的を達成するために、本発明の感光体ユニットは、第１軸線を中心として回転可能な第１感光体を有する第１画像形成部と、第１軸線と平行な第２軸線を中心として回転可能な第２感光体を有し、第１軸線および第２軸線に直交する直交方向における第１画像形成部の一方側に並列配置される第２画像形成部とを備える。
【００１０】
第１画像形成部は、第１感光体に対向配置される帯電器と、第１感光体に対向配置されるカートリッジ収容部であって、第１感光体に現像剤を供給するための現像カートリッジを着脱可能に収容するカートリッジ収容部とを備える。
【００１１】
帯電器は、所定の電圧が印加される帯電部材と、帯電部材を清掃するための清掃部材と、清掃部材を操作するための操作部材とを備える。
【００１２】
操作部材は、現像カートリッジがカートリッジ収容部に装着されているときには操作不能であり、現像カートリッジがカートリッジ収容部から離脱されたときに操作可能にカートリッジ収容部内において露出される。
【００１３】
このような構成によれば、第１感光体に対応する帯電器の操作部材は、第１感光体に対応する現像カートリッジがカートリッジ収容部から離脱されたときに操作可能に露出される。
【００１４】
そのため、清掃対象の帯電器と同じ第１感光体に対応する現像カートリッジを離脱させて、その帯電器の帯電部材を清掃することができる。
【００１５】
その結果、第１感光体と異なる第２感光体に対応する現像カートリッジを離脱させてから、帯電部材を清掃する場合と比べて、帯電部材を容易に清掃することができる。
（２）また、操作部材は、現像カートリッジがカートリッジ収容部に装着されているときに現像カートリッジに対向される操作部を備えていてもよい。
【００１６】
このような構成によれば、現像カートリッジをカートリッジ収容部から離脱させることにより、確実に、帯電器の操作部を露出させることができる。
（３）また、帯電器は、帯電部材を挟んで感光体とは反対側に形成される第１開口部を有していてもよい。また、第１画像形成部は、第１開口部に連通される通気部を有していてもよい。
【００１７】
この場合、操作部は、通気部に対して、帯電器の反対側に配置されていてもよい。
【００１８】
このような構成によれば、通気部を介して帯電器に空気を作用させることができる。
（４）また、操作部材は、清掃部材を支持する清掃部材支持部と、操作部と清掃部材支持部とを連結する連結部とを備えていてもよい。
【００１９】
この場合、連結部は、通気部内に配置されていてもよい。
【００２０】
このような構成によれば、通気部を利用して、清掃部材支持部と操作部とを連結する連結部を効率よく配置することができる。
（５）また、操作部材は、第１軸線および第２軸線と平行な軸線方向に沿って、操作されていないときに配置される待機位置と、操作されているときに配置される清掃位置とに移動可能であってもよい。また、通気部は、直交方向他方側へ向かって開放される第２開口部を有していてもよい。
【００２１】
この場合、第２開口部は、操作部材が待機位置に配置されているときに閉鎖され、操作部材が待機位置から清掃位置へ移動されるときに開放されてもよい。
【００２２】
このような構成によれば、操作部材を待機位置から清掃位置へ移動すると同時に、第２開口部を開放することができる。
【００２３】
そのため、帯電部材の清掃作業を実施するとき以外は、通気部の密閉性を保つことができ、かつ、帯電部材の清掃作業を実施するときには、連結部の移動経路を確保することができる。
（６）また、通気部は、連結部に対して第１感光体と反対側に配置され、直交方向他端部において第１端縁を有する第１壁と、連結部に対して直交方向他方側に配置され、第１端縁に対向される第２端縁を有する第２壁とを備えていてもよい。
【００２４】
この場合、第１壁は、操作部材が待機位置に配置されているときに、第１端縁が第２端縁に当接される当接位置に配置され、操作部材が待機位置から清掃位置へ移動されるときに、第１端縁が第２端縁から離間される離間位置へ移動され、第２開口部は、第１壁が離間位置に配置されたときに、第１端縁と第２端縁とによって区画されてもよい。
【００２５】
このような構成によれば、操作部材の待機位置から清掃位置への移動を利用して、連結部に対して第１感光体と反対側に配置される第１壁を移動させて、第２開口部を開放することができる。
【００２６】
そのため、帯電部材の清掃作業を実施するときには、確実に、第２開口部を開放することができ、連結部の移動経路を確保することができる。
（７）また、操作部材は、操作部材が待機位置から清掃位置へ移動されるときに第１端縁を第２端縁から離間させるように押圧する押圧部を備えていてもよい。
【００２７】
このような構成によれば、押圧部により、確実に、第１端縁を第２端縁から離間させることができる。
【００２８】
そのため、帯電部材の清掃作業を実施するときには、より確実に、第２開口部を開放することができ、連結部の移動経路を確保することができる。
（８）また、第２端縁は、操作部材の移動を案内してもよい。
【００２９】
このような構成によれば、第２端縁を利用して操作部材を案内することができ、部品点数を増加させることなく、操作部材の操作性を向上させることができる。
（９）また、第１壁は、通気部から帯電器へ向かう気流を軸線方向において均一化する整流部材を備えていてもよい。この場合、整流部材は、第１壁が当接位置に配置されているときには、軸線方向から見て、連結部と重なるように配置され、第１壁が離間位置に配置されているときには、軸線方向から見て、連結部に対して第１感光体と反対側に配置されていてもよい。
【００３０】
このような構成によれば、通気部内の気流を整流部材によって整えることができながら、操作部材を操作するときには、整流部材を、連結部に干渉しないように、連結部に対して第１感光体と反対側に配置することができる。
【００３１】
そのため、操作部材の操作性を確保しながら、通気部内の気流を整えることができる。
（１０）また、第１端縁と第２端縁とが当接するように第１壁を第２壁に向かって付勢する付勢部材を備えていてもよい。
【００３２】
このような構成によれば、操作部材を待機位置に配置させたときに、第１壁を、確実に当接位置に配置させることができる。
（１１）また、通気部は、連結部に対して第１感光体と反対側に配置され、直交方向他端部において第１端縁を有する第１壁と、連結部に対して直交方向他方側に配置され、第１端縁に対向される第２端縁を有する第２壁とを備えていてもよい。
【００３３】
この場合、第２壁は、操作部材が待機位置に配置されているときに、第２端縁が第１端縁に当接される当接位置に配置され、操作部材が待機位置から清掃位置へ移動されるときに、第２端縁が第１端縁から離間される離間位置へ回動され、第２開口部は、第１壁が離間位置に配置されたときに、第１端縁と第２端縁とによって区画されてもよい。
【００３４】
このような構成によれば、操作部材の待機位置から清掃位置への移動を利用して、連結部に対して直交方向他方側に配置される第２壁を回動させて、第２開口部を開放することができる。
【００３５】
そのため、帯電部材の清掃作業を実施するときには、確実に、第２開口部を開放することができ、連結部の移動経路を確保することができる。
（１２）また、操作部材は、操作部材が待機位置から清掃位置へ移動されるときに、第２壁を第１壁から離間させるように押圧する押圧部を備えていてもよい。
【００３６】
このような構成によれば、押圧部により、確実に、第２壁を第１壁から離間させることができる。
【００３７】
そのため、帯電部材の清掃作業を実施するときには、より確実に、第２開口部を開放することができ、連結部の移動経路を確保することができる。
（１３）また、第２壁は、通気部から帯電器へ向かう気流を軸線方向において均一化する整流部材を備えていてもよい。
【００３８】
この場合、整流部材は、第２壁が当接位置に配置されているときには、軸線方向から見て、連結部と重なるように配置され、第２壁が離間位置に配置されているときには、軸線方向から見て、連結部に対して直交方向他方側に配置されていてもよい。
【００３９】
このような構成によれば、通気部内の気流を整流部材によって整えることができながら、操作部材を操作するときには、整流部材を、連結部に干渉しないように、連結部に対して直交方向他方側に配置することができる。
【００４０】
そのため、操作部材の操作性を確保しながら、通気部内の気流を整えることができる。
（１４）また、第１端縁と第２端縁とが当接するように第２壁を第１壁に向かって付勢する付勢部材を備えていてもよい。
【００４１】
このような構成によれば、操作部材を待機位置に配置させたときに、第２壁を、確実に当接位置に配置させることができる。
（１５）また、通気部は、連結部に対して直交方向他方側に配置され、第２開口部を有する壁部と、操作部材に連結され、前記第２開口部を開閉する開閉部材とを備えていてもよい。
【００４２】
この場合、開閉部材は、操作部材が待機位置に配置されているときに、第２開口部を閉鎖する閉位置に配置され、操作部材が待機位置から清掃位置へ移動されるときに、第２開口部を開放する開位置へ移動されてもよい。
【００４３】
このような構成によれば、操作部材の待機位置から清掃位置への移動を利用して、開閉部材を閉位置から開位置へ移動させて、第２開口部を開放することができる。
【００４４】
そのため、帯電部材の清掃作業を実施するときには、確実に、第２開口部を開放することができ、連結部の移動経路を確保することができる。
（１６）また、操作部は、その第１感光体側の端部から、直交方向他方側へ突出する突出部を有していてもよい。
【００４５】
このような構成によれば、操作部を操作するときに、目測の誤りなどに起因して、指などが第１感光体に触れることを、突出部によって防止することができる。
【００４６】
そのため、操作部を容易かつ確実に操作することができる。
（１７）また、突出部は、操作部材が待機位置よりも清掃位置側に配置されているときに現像カートリッジと干渉するように構成されていてもよい。
【００４７】
このような構成によれば、操作部材が待機位置に配置されていない状態では、現像カートリッジと突出部とが干渉するため、現像カートリッジを第１画像形成部に装着することができない。
【００４８】
そのため、操作部材が待機位置に配置されていない状態で、現像カートリッジが第１画像形成部に装着されることを抑制することができる。
【００４９】
その結果、現像カートリッジを第１画像形成部に装着するときに、確実に、操作部材を待機位置に配置させることができる。
【発明の効果】
【００５０】
本発明の感光体ユニットによれば、清掃対象の帯電器と同じ第１感光体に対応する現像カートリッジを離脱させて、その帯電器の帯電部材を清掃することができる。
【００５１】
その結果、第１感光体と異なる第２感光体に対応する現像カートリッジを離脱させてから、帯電部材を清掃する場合と比べて、帯電部材を容易に清掃することができる。
【図面の簡単な説明】
【００５２】
【図１】図１は、本発明の感光体ユニットの第１実施形態としてのドラムユニットを備えるプリンタを示す断面図である。
【図２】図２は、図１に示すプロセスユニットの前上側から見た斜視図である。
【図３】図３は、図１に示すプロセスユニットの要部断面図である。
【図４】図４は、図２に示すプロセスユニットの前上側から見た斜視図であって、ブラックの現像カートリッジを離脱させた状態を示す。
【図５】図５は、図４に示すワイヤクリーナの前上側から見た斜視図である。
【図６】図６は、図４に示すダクトカバーの後下側から見た斜視図である。
【図７】図７は、図４に示すワイヤクリーナの操作を説明する説明図であって、（ａ）は、ワイヤクリーナを操作する前の状態（操作部材：待機位置、ダクトカバー：当接位置）を示し、（ｂ）は、ワイヤクリーナを待機位置から右側へ移動させ始めた状態（操作部材ナ：清掃位置、ダクトカバー：離間位置）を示し、（ｃ）は、（ｂ）に続き、ワイヤクリーナをさらに右側へ移動させた状態（操作部材：清掃位置、ダクトカバー：離間位置）を示す。
【図８】図８は、第２実施形態のワイヤクリーナを説明する説明図であって、（ａ）は、ワイヤクリーナを操作する前の状態（操作部材：待機位置、ダクト壁：当接位置）を示し、（ｂ）は、ワイヤクリーナを待機位置から右側へ移動させ始めた状態（操作部材：清掃位置、ダクト壁：離間位置）を示し、（ｃ）は、（ｂ）に続き、ワイヤクリーナをさらに右側へ移動させた状態（操作部材：清掃位置、ダクト壁：離間位置）を示す。
【図９】図９は、第３実施形態のワイヤクリーナを説明する説明図であって、（ａ）は、ワイヤクリーナの前上側から見た斜視図であり、（ｂ）は、待機位置におけるワイヤクリーナと、現像カートリッジとの相対配置を示す要部拡大図である。
【図１０】図１０は、第４実施形態のワイヤクリーナを説明する説明図であって、（ａ）は、ワイヤクリーナを操作する前の状態（操作部材：待機位置、ダクトシャッタ：閉位置）を示し、（ｂ）は、ワイヤクリーナを待機位置から右側へ移動させた状態（操作部材：清掃位置、ダクトシャッタ：開位置）を示す。
【発明を実施するための形態】
【００５３】
１．プリンタの全体構成
図１に示すように、プリンタ１は、横置きタイプのダイレクトタンデム型カラープリンタである。
【００５４】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００５５】
プリンタ１は、略ボックス形状の本体ケーシング２を備えている。本体ケーシング２の前端部には、フロントカバー４が開閉可能に設けられている。プリンタ１は、本体ケーシング２内においてプロセスユニット３を備えている。なお、プロセスユニット３は、フロントカバー４が開放された状態で、本体ケーシング２から引き出し可能に構成されている。
【００５６】
プロセスユニット３は、感光体ユニットの一例としてのドラムユニット５と、ドラムユニット５に着脱可能に装着される複数（４つ）の現像カートリッジ６とを備えている。
【００５７】
ドラムユニット５は、複数（４つ）の感光ドラム７を備えている。
【００５８】
複数の感光ドラム７は、前後方向（直交方向）に互いに間隔を隔てて並列配置されている。具体的には、前側から後側に向かって、ブラック感光ドラム７Ｋ、イエロー感光ドラム７Ｙ、マゼンタ感光ドラム７Ｍおよびシアン感光ドラム７Ｃが、順次配置されている。感光ドラム７は、左右方向（軸線方向）に長手の円筒形状に形成されており、その中心軸線を回転中心として回転可能に設けられている。
【００５９】
なお、第１実施形態において、ブラック感光ドラム７Ｋ、イエロー感光ドラム７Ｙまたはマゼンタ感光ドラム７Ｍが第１感光体の一例であり、その中心軸線が第１軸線の一例である。また、ブラック感光ドラム７Ｋ、イエロー感光ドラム７Ｙまたはマゼンタ感光ドラム７Ｍの後側に隣接配置される感光ドラム７が第２感光体の一例であり、その中心軸線が第２軸線の一例である。
【００６０】
複数の現像カートリッジ６のそれぞれは、複数の感光ドラム７の前上側にそれぞれ対向配置されている。現像カートリッジ６は、現像ローラ８を備えている。
【００６１】
現像ローラ８は、左右方向に延び、現像カートリッジ６の下端部において後側から露出されるように設けられ、感光ドラム７に対して前上側から接触されている。
【００６２】
また、現像カートリッジ６は、現像ローラ８にトナーを供給する供給ローラ９、現像ローラ８に供給されたトナーの厚みを規制する層厚規制ブレード１０を備え、それらの上側には、現像剤の一例としてのトナーが収容されている。
【００６３】
現像カートリッジ６内のトナーは、供給ローラ９と現像ローラ８との間で正極性に摩擦帯電され、一定厚さの薄層として現像ローラ８の表面に担持される。
【００６４】
一方、感光ドラム７の表面は、感光ドラム７の後上側に対向配置される帯電器の一例としてのスコロトロン型帯電器１１によって一様に帯電される。その後、感光ドラム７の表面は、プロセスユニット３の上側に対向配置されるスキャナユニット１２から出射されるレーザビームによって所定の画像データに基づいて露光される。これにより、感光ドラム７の表面には、画像データに基づく静電潜像が形成される。そして、現像ローラ８に担持されるトナーが各感光ドラム７の表面上の静電潜像に供給されることにより、感光ドラム７の表面上にトナー像（現像剤像）が担持される。
【００６５】
用紙Ｐは、本体ケーシング２の底部に設けられる給紙トレイ１３内に収容されており、各種ローラによって、後上側へＵターンするように搬送されて、所定のタイミングで１枚ずつ、感光ドラム７と搬送ベルト１４との間に給紙される。その後、用紙Ｐは、搬送ベルト１４によって、すべての感光ドラム７に順次対向されるように、前側から後側に向かって搬送される。このとき、感光ドラム７に担持されるトナー像は、搬送ベルト１４を挟んで感光ドラム７の下側に対向配置される転写ローラ１５の転写バイアスにより、用紙Ｐに転写される。
【００６６】
そして、用紙Ｐは、加熱ローラ１６と加圧ローラ１７との間を通過するときに加熱および加圧される。これにより、トナー像は、用紙Ｐに熱定着される。
【００６７】
その後、用紙Ｐは、前上側へＵターンするように搬送されて、本体ケーシング２の上面に設けられる排紙トレイ１８に排紙される。
２．ドラムユニット
ドラムユニット５は、図２および図４に示すように、フレーム２１と、複数（４つ）の帯電ユニット２２とを備えている。
（１）フレーム
フレーム２１は、平面視略矩形枠形状に形成されている。詳しくは、フレーム２１は、左右１対の側板２３と、フロントビーム２５と、リヤビーム２６とを備えている。
【００６８】
両側板２３は、左右方向において互いに間隔を隔てて対向配置されている。両側板２３は、前後方向に長手の側面視略矩形平板形状に形成されている。
【００６９】
また、両側板２３には、ガイド溝２４が形成されている。
【００７０】
ガイド溝２４は、側板２３の左右方向内面において、複数の感光ドラム７にそれぞれ対応するように、前後方向に等しい間隔を隔てて４つ形成されている。ガイド溝２４は、対応する感光ドラム７の前上側において、側板２３の上側部分から後下側に向かって延び、上側が開放された略Ｕ字形状に形成されている。
【００７１】
フロントビーム２５は、左右方向に延びる正面視略矩形平板形状に形成され、両側板２３の前端間に架設されている。
【００７２】
リヤビーム２６は、左右方向に延びる正面視略矩形平板形状に形成され、両側板２３の後端間に架設されている。なお、リヤビーム２６は、最後方の帯電ユニット２２の後上側に対向配置されている。
（２）帯電ユニット
複数の帯電ユニット２２は、図３および図４に示すように、複数の感光ドラム７の後側にそれぞれ対向配置され、両側板２３間に架設されている。これにより、フロントビーム２５、リヤビーム２６および左右１対の側板２３によって区画される空間は、最後方の帯電ユニット２２以外の３つの帯電ユニット２２により、前後方向に４等分され、それぞれ、現像カートリッジ６を収容するカートリッジ収容部２７を形成する。
【００７３】
なお、第１実施形態において、ブラック、イエローおよびマゼンタのいずれかに対応する感光ドラム７と、その感光ドラム７に対応する帯電ユニット２２と、その帯電ユニット２２の前側のカートリッジ収容部２７とによって、第１画像形成部が構成される。また、第１画像形成部の感光ドラム７の後側に並列配置される感光ドラム７と、その感光ドラム７に対応する帯電ユニット２２と、その帯電ユニット２２の前側のカートリッジ収容部２７とによって、第２画像形成部が構成される。
【００７４】
また、帯電ユニット２２は、スコロトロン型帯電器１１を支持する支持フレーム３１と、スコロトロン型帯電器１１と、第１壁の一例としてのダクトカバー３３とを備えている。
【００７５】
支持フレーム３１は、左右方向に延びる略三角筒形状に形成されている。支持フレーム３１は、帯電器支持部３６と、第２壁の一例としてのダクト壁３７とを備えている。
【００７６】
帯電器支持部３６は、帯電ユニット２２の上端部において、感光ドラム７の後上側に間隔を隔てて対向配置されている。帯電器支持部３６は、左右方向に延び、下端部が下側へ向かって開放された断面視略Ｕ字形の筒形状に形成されている。また、帯電器支持部３６の上壁には、露出開口３８が形成されている。
【００７７】
露出開口３８は、左右方向に延び、帯電器支持部３６の上壁を上下方向に貫通するように形成されている。
【００７８】
ダクト壁３７は、帯電器支持部３６の前下側端部から上側へ延びる略平板形状に形成されている。ダクト壁３７の上端縁３９は、第１端縁として機能する。
【００７９】
スコロトロン型帯電器１１は、グリッド３４と、帯電部材の一例としての帯電ワイヤ３５と、帯電ワイヤ３５を清掃するためのワイヤクリーナ３２とを備えている。
【００８０】
グリッド３４は、帯電器支持部３６内に配置されている。グリッド３４は、左右方向に延び、上端部が後上側へ向かって開放された断面視略Ｕ字形の筒形状に形成されている。なお、グリッド３４の上端部は、第１開口部として機能する。グリッド３４には、本体ケーシング２の図示しない電源から電圧が印加される。
【００８１】
帯電ワイヤ３５は、グリッド３４内において、露出開口３８の下側に対向配置されている。帯電ワイヤ３５は、左右方向に延びる略直線形状に形成されている。帯電ワイヤ３５には、本体ケーシング２の図示しない電源から電圧が印加される。
【００８２】
ワイヤクリーナ３２は、図５に示すように、ワイヤクリーナ３２を操作するための操作部材４２と、帯電ワイヤ３５を清掃するための清掃部材４１とを備えている。
【００８３】
操作部材４２は、清掃部材４１を支持する清掃部材支持部４３と、ユーザが操作するための操作部４４と、操作部４４と清掃部材支持部４３とを連結する連結部４５とを備えている。
【００８４】
清掃部材支持部４３は、ワイヤクリーナ３２の後端部に設けられている。清掃部材支持部４３は、基部４７と、１対の挟持部４６とを備えている。
【００８５】
基部４７は、前後方向に延びる略平板形状に形成されている。
【００８６】
両挟持部４６は、前後方向に互いに間隔を隔てて対向配置され、基部４７の下面から下側へ延びる突条として形成されている。
【００８７】
操作部４４は、ワイヤクリーナ３２の前端部に設けられている。操作部４４は、上下方向に延びる略平板形状に形成されている。
【００８８】
連結部４５は、清掃部材支持部４３と操作部４４との間に設けられている。連結部４５は、前後方向に延びる屈曲された略平板形状に形成されている。詳しくは、連結部４５は、その前側半分が、前後方向に延びる略平板形状に形成されており、その後側半分が、上側が開放された側面視略Ｕ字形に屈曲されている。そして、連結部４５の前端部は、操作部４４の後面に連続され、連結部４５の後端部は、清掃部材支持部４３の基部４７の前端部に連続されている。
【００８９】
清掃部材４１は、両挟持部４６の間に挟持されている。清掃部材４１は、スポンジなどの多孔部材や、フェルトなどの不織布などから、帯電ワイヤ３５を挟持するように、二つ折りの略平板形状に形成されている。
【００９０】
そして、ワイヤクリーナ３２は、連結部４５の前側半分が、ダクト壁３７の上端縁３９に上側から対向されるとともに、操作部４４が、ダクト壁３７の上端部に前側から対向されるように、支持フレーム３１の上端部に支持されている。
【００９１】
また、ワイヤクリーナ３２は、支持フレーム３１の左端部に配置される待機位置（図７（ａ）参照）と、待機位置よりも右側の清掃位置（図７（ｂ）および図７（ｃ）参照）とに、移動可能である。
【００９２】
ワイヤクリーナ３２は、帯電ワイヤ３５を清掃しないときには、待機位置に配置されている。
【００９３】
ダクトカバー３３は、図３および図６に示すように、帯電ユニット２２の上端部において、支持フレーム３１の帯電器支持部３６の上側に間隔を隔てて対向配置されている。ダクトカバー３３は、被覆部５１と、左右１対の支持ボス５３と、付勢部材の一例としての弾性部５４と、整流部材の一例としての整流部５２と、対向部５５とを一体的に備えている。
【００９４】
被覆部５１は、左右方向に延びる略平板形状に形成されている。被覆部５１の前端部は、ダクト壁３７の上端部に対向されている。また、被覆部５１の後端部は、帯電器支持部３６の後端部に対向されている。また、被覆部５１の左右方向長さは、支持フレーム３１の左右方向長さとほぼ同じ長さである。
【００９５】
両支持ボス５３のそれぞれは、被覆部５１の後端部の左右方向両端部に、それぞれ設けられている。支持ボス５３は、被覆部５１の左右方向端部から左右方向外側へ向かって延びる略円柱形状に形成されている。
【００９６】
弾性部５４は、被覆部５１の左側後端部から後側へ延びるように、弾性変形可能な略平板形状に形成されている。
【００９７】
整流部５２は、被覆部５１の前後方向途中から下側へ向かって突出し、左右方向に延びる突条として形成されている。整流部５２の右端縁は、被覆部５１の右端縁と上下方向に重なるように、配置されている。被覆部５１の左端縁は、被覆部５１の左端縁よりも右側に、配置されている。つまり、整流部５２は、被覆部５１の左端部には形成されていない。また、整流部５２には、複数の通気孔５８が形成されている。
【００９８】
複数の通気孔５８は、正面視略矩形状に形成され、左右方向に互いに間隔を隔てて並列配置されている。なお、整流部５２の右側半分に形成されている通気孔５８の左右方向長さは、整流部５２の左側半分に形成されている通気孔５８の左右方向長さよりも長い。
【００９９】
対向部５５は、被覆部５１の前端縁から下側へ向かって突出し、左右方向に延びる突条として形成されている。対向部５５の右端縁は、被覆部５１の右端縁と上下方向に重なるように、配置されている。対向部５５の左端縁５６は、被覆部５１の左端縁よりも右側に、配置されている。つまり、対向部５５は、被覆部５１の左端部には形成されていない。また、対向部５５の左端縁５６は、右側へ向かうに従って下側へ向かうように傾斜されている。また、対向部５５の下端縁５７は、第２端縁として機能する。
【０１００】
そして、ダクトカバー３３は、両支持ボス５３のそれぞれが支持フレーム３１の左右方向両端部にそれぞれ回転可能に支持されている。
【０１０１】
これにより、ダクトカバー３３は、対向部５５の下端縁５７がダクト壁３７の上端縁３９に当接される当接位置（図７（ａ）参照）と、対向部５５の下端縁５７がダクト壁３７の上端縁３９から上側へ離間される離間位置（図７（ｂ）および図７（ｃ）参照）とに、その後端部を支点として回動される。
【０１０２】
また、ダクトカバー３３の弾性部５４は、支持フレーム３１の左端部に固定されている。
【０１０３】
これにより、ダクトカバー３３は、少なくとも離間位置に配置されているときには、弾性部５４の弾性によって当接位置へ向かって付勢される。
【０１０４】
そして、ダクトカバー３３は、図７（ａ）に示すように、ワイヤクリーナ３２が待機位置に配置されているときには、当接位置に配置されている。
【０１０５】
このとき、ダクトカバー３３の左端部（整流部５２および対向部５５が形成されていない部分）は、ワイヤクリーナ３２の連結部４５および清掃部材支持部４３に上側から対向されている。
【０１０６】
また、ダクトカバー３３の対向部５５の左端縁５６は、ワイヤクリーナ３２の連結部４５の前側半分に右側から対向されている。
【０１０７】
また、ダクトカバー３３の整流部５２は、左右方向から見てワイヤクリーナ３２の連結部４５と重なるように、ワイヤクリーナ３２の連結部４５の左側に配置されている。
【０１０８】
また、ダクトカバー３３とダクト壁３７と帯電器支持部３６とによって、通気部の一例としてのダクト３０が区画されている。
【０１０９】
そして、現像カートリッジ６がカートリッジ収容部２７に装着されているときには、図３に示すように、現像カートリッジ６がワイヤクリーナ３２の操作部４４に前側から対向されており、ワイヤクリーナ３２の操作部材４２は、操作不能である。
３．帯電ワイヤの清掃
帯電ワイヤ３５を清掃するには、まず、清掃対象のスコロトロン型帯電器１１に対応する色の現像カートリッジ６をドラムユニット５から離脱させる。なお、第１実施形態では、ブラック感光ドラム７Ｋに対応するスコロトロン型帯電器１１を清掃対象とする。
【０１１０】
すると、図４に示すように、操作部材４２は、カートリッジ収容部２７内に操作可能に露出される。
【０１１１】
ワイヤクリーナ３２を待機位置から右側へスライドさせる。
【０１１２】
すると、ワイヤクリーナ３２の連結部４５が、ダクトカバー３３の対向部５５の左端縁５６に左側から当接される。
【０１１３】
そして、図７（ｂ）に示すように、ワイヤクリーナ３２をさらに右側へスライドさせると、ワイヤクリーナ３２の連結部４５は、ダクトカバー３３の対向部５５の左端縁５６を上側へ押圧する。つまり、ワイヤクリーナ３２の連結部４５は、押圧部としても機能する。
【０１１４】
すると、ダクトカバー３３は、その弾性部５４の弾性に抗して、対向部５５の左端縁５６の傾斜に応じてワイヤクリーナ３２の連結部４５に乗り上げるように、離間位置に配置される。
【０１１５】
このとき、対向部５５の下端縁５７とダクト壁３７の上端縁３９との間が、第２開口部として機能する。すなわち、第２開口部は、ダクトカバー３３が離間位置に配置されたときに、対向部５５の下端縁５７とダクト壁３７の上端縁３９とによって区画される。
【０１１６】
また、図３に仮想線で示すように、整流部５２は、左右方向から見てワイヤクリーナ３２の連結部４５と重ならないように、ワイヤクリーナ３２の連結部４５の上側に配置されている。
【０１１７】
そして、図７（ｃ）に示すように、ワイヤクリーナ３２をさらに右側へスライドさせると、ワイヤクリーナ３２は、連結部４５が対向部５５の下端縁５７とダクト壁３７の上端縁３９との間を通過するように、右側へスライドされる。
【０１１８】
このとき、ワイヤクリーナ３２は、連結部４５がダクト壁３７の上端縁３９を摺動するようにスライドされる。つまり、ダクト壁３７の上端縁３９は、ワイヤクリーナ３２のスライドを案内する。
【０１１９】
そして、上記したようにワイヤクリーナ３２を右側へスライドさせると、ワイヤクリーナ３２のスライドに伴って、清掃部材４１が右側へスライドされる。
【０１２０】
これにより、帯電ワイヤ３５の表面が、清掃部材４１によって清掃される。
【０１２１】
その後、ワイヤクリーナ３２を待機位置に戻すと、ダクトカバー３３と、ワイヤクリーナ３２の連結部４５との当接が解除される。
【０１２２】
すると、ダクトカバー３３は、その弾性部５４の弾性により、当接位置へ移動される。
４．作用効果
（１）このドラムユニット５によれば、図２および図４に示すように、例えば、ブラック感光ドラム７Ｋ（第１感光体の一例）に対応するスコロトロン型帯電器１１のワイヤクリーナ３２の操作部４４は、ブラック感光ドラム７Ｋに対応する現像カートリッジ６がカートリッジ収容部２７から離脱されたときに操作可能に露出される。
【０１２３】
つまり、清掃対象のスコロトロン型帯電器１１が対応する感光ドラム７と同一の感光ドラム７に対応する現像カートリッジ６を離脱させて、そのスコロトロン型帯電器１１の帯電ワイヤ３５を清掃することができる。
【０１２４】
その結果、清掃対象のスコロトロン型帯電器１１が対応する感光ドラム７と異なる感光ドラム７に対応する現像カートリッジ６を離脱させてから、帯電ワイヤ３５を清掃する場合と比べて、帯電ワイヤ３５を容易に清掃することができる。
（２）また、このドラムユニット５によれば、図３に示すように、現像カートリッジ６がカートリッジ収容部２７に装着されているときには、ワイヤクリーナ３２の操作部４４が現像カートリッジ６に対向されている。
【０１２５】
そのため、現像カートリッジ６をカートリッジ収容部２７から離脱させることにより、確実に、操作部４４を露出させることができる。
（３）また、このドラムユニット５によれば、図３に示すように、帯電ユニット２２は、グリッド３４の上端部に連通されるダクト３０（ダクトカバー３３とダクト壁３７と帯電器支持部３６とによって区画される空間）を有している。
【０１２６】
そのため、ダクト３０を介してスコロトロン型帯電器１１に空気を作用させることができる。
【０１２７】
これにより、スコロトロン型帯電器１１の付近に滞留するオゾンを、ダクト３０を介して除去し、効率よく感光ドラム７を帯電させることができる。
（４）また、このドラムユニット５によれば、図３および図７に示すように、ワイヤクリーナ３２の連結部４５は、ダクト３０内に配置されていてもよい。
【０１２８】
そのため、ダクト３０を利用して、ワイヤクリーナ３２の連結部４５を効率よく配置することができる。
（５）また、このドラムユニット５によれば、図７（ａ）に示すように、操作部材４２が待機位置に配置されているときに、第２開口部（ダクトカバー３３の対向部５５の下端縁５７と、ダクト壁３７の上端縁３９との間）を閉鎖することができる。また、図７（ｂ）に示すように、操作部材４２を待機位置から操作位置へ移動させると同時に、第２開口部を開放することができる。
【０１２９】
そのため、帯電ワイヤ３５の清掃作業を実施するとき以外は、ダクト３０の密閉性を保つことができ、かつ、帯電ワイヤ３５の清掃作業を実施するときには、連結部４５の移動経路を確保することができる。
（６）また、このドラムユニット５によれば、図７（ａ）に示すように、操作部材４２が待機位置に配置されているときに、ダクトカバー３３の対向部５５の下端縁５７を、ダクト壁３７の上端縁３９に当接させて、第２開口部を閉鎖することができる。また、図７（ｂ）に示すように、操作部材４２を待機位置から操作位置へ移動させると同時に、ダクトカバー３３の対向部５５の下端縁５７を、ダクト壁３７の上端縁３９から離間させて、第２開口部を開放することができる。
【０１３０】
そのため、操作部材４２の待機位置から清掃位置への移動を利用してダクトカバー３３を離間位置へ移動させることができる。
【０１３１】
その結果、帯電ワイヤ３５の清掃作業を実施するときには、確実に、第２開口部を開放することができ、連結部４５の移動経路を確保することができる。
（７）また、このドラムユニット５によれば、図７（ｂ）に示すように、操作部材４２の連結部４５は、操作部材４２を待機位置から操作位置へ移動させるときに、ダクトカバー３３の対向部５５の下端縁５７を、ダクト壁３７の上端縁３９から離間させるように押圧する。
【０１３２】
そのため、連結部４５により、確実に、ダクトカバー３３の対向部５５の下端縁５７を、ダクト壁３７の上端縁３９から離間させることができる。
【０１３３】
その結果、帯電ワイヤ３５の清掃作業を実施するときには、より確実に、第２開口部を開放することができ、連結部４５の移動経路を確保することができる。
（８）また、このドラムユニット５によれば、図７に示すように、ダクト壁３７の上端縁３９を利用して操作部材４２を案内することができ、部品点数を増加させることなく、操作部材４２の操作性を向上させることができる。
（９）また、このドラムユニット５によれば、図３に仮想線で示すように、ダクトカバー３３の整流部５２は、ダクトカバー３３が離間位置に配置されているときに、左右方向から見て連結部４５と重ならないように連結部４５の上側に配置される。
【０１３４】
そのため、ダクト３０内の気流を整流部５２によって整えることができながら、操作部材４２を操作するときには、整流部５２を、連結部４５に干渉しないように、連結部４５の上側に配置することができる。
【０１３５】
そのため、操作部材４２の操作性を確保しながら、ダクト３０内の気流を整えることができる。
（１０）また、このドラムユニット５によれば、図６に示すように、ダクトカバー３３は、ダクトカバー３３をダクト壁３７に向かって付勢する弾性部５４を備えている。
【０１３６】
そのため、操作部材４２を待機位置に配置させたときに、ダクトカバー３３を、確実に当接位置に配置させることができる。
５．第２実施形態
図８を参照して、ドラムユニット５の第２実施形態を説明する。なお、第２実施形態において、第１実施形態と同様の部材には、同様の符号を付し、その説明を省略する。
（１）第２実施形態の構成
上記した第１実施形態では、ダクトカバー３３を、ダクト壁３７に当接される当接位置と、ダクト壁３７から離間される離間位置とに移動可能に構成している。
【０１３７】
対して、第２実施形態では、ダクト壁６１を、ダクトカバー３３に当接される当接位置（図８（ａ）参照）と、ダクトカバー３３から離間される離間位置（図８（ｂ）および図８（ｃ）参照）とに移動可能に構成する。なお、以下の説明において、ダクト壁６１の方向に言及するときには、ダクト壁６１が当接位置に配置されている状態を基準とする。
【０１３８】
また、第２実施形態では、ワイヤクリーナ６０の操作部４４は、ダクト壁６１の被当接部６５（後述）に当接する押圧部の一例としての当接部６６を備えている。
【０１３９】
当接部６６は、ワイヤクリーナ６０の操作部４４の下端部から下側へ向かって突出し、左右方向に延びる突条として形成されている。また、当接部６６の右端縁６７は、左側へ向かうに従って前側へ傾斜している。
【０１４０】
ダクト壁６１は、図８（ａ）および図８（ｃ）に示すように、支持フレーム３１の帯電器支持部３６の前側に間隔を隔てて対向配置されている。ダクト壁６１は、左右方向に延び、上端部が上側へ向かって開放された断面視略Ｕ字形の筒形状に形成されている。詳しくは、ダクト壁６１は、被覆部６２と、整流部材の一例としての整流部６３と、被当接部６５とを一体的に備えている。
【０１４１】
被覆部６２は、左右方向に延びる略平板形状に形成され、ダクト壁６１の前壁を構成している。また、被覆部６２の左右方向長さは、支持フレーム３１の左右方向長さより短い。
【０１４２】
整流部６３は、被覆部６２の後側に間隔を隔てて対向配置されている。整流部６３は、左右方向に延びる略平板形状に形成され、ダクト壁６１の後壁を構成している。なお、整流部６３の下端部と、被覆部６２の下端部とは、ダクト壁６１の底壁（図示せず）によって連結されている。また、整流部６３には、上記した第１実施形態と同様に、複数の通気孔５８が形成されている。
【０１４３】
被当接部６５は、ダクト壁６１の下端部の左端部から左側へ突出する屈曲された略杆形状に形成されている。詳しくは、ダクト壁６１の下端部の左端部から連続して、左側へ向かうに従って下側へ傾斜するように延び、その左端部おいて左側へ屈曲されて、左側へ延びている。
【０１４４】
そして、ダクト壁６１は、その下端部において、支持フレーム３１に回動可能に支持されている。
【０１４５】
これにより、ダクト壁６１は、被覆部６２の上端縁６８がダクトカバー３３の前端縁６９に当接される当接位置（図７（ａ）参照）と、被覆部６２の上端縁６８がダクトカバー３３の前端縁６９から前側へ離間される離間位置（図７（ｂ）および図７（ｃ）参照）とに、その下端部を支点として回動される。
【０１４６】
そして、ダクト壁６１の下端部の左右両端部には、付勢部材の一例としてのコイルばね６４が１つずつ支持されている。コイルばね６４は、その一端部がダクト壁６１に係止され、その他端部が支持フレーム３１に係止されている。
【０１４７】
これにより、ダクト壁６１は、常には、コイルばね６４の付勢力によって当接位置へ向かって付勢されている。
【０１４８】
そして、ダクト壁６１は、図８（ａ）に示すように、ワイヤクリーナ６０が待機位置に配置されているときには、当接位置に配置されている。
【０１４９】
このとき、ダクト壁６１の整流部６３は、ワイヤクリーナ６０の連結部４５の左側に対向されている。すなわち、ダクト壁６１の整流部６３は、左右方向から見てワイヤクリーナ６０の連結部４５と重なっている。
【０１５０】
また、ダクト壁６１の被当接部６５には、ワイヤクリーナ６０の当接部６６が左側から対向されている。
（２）第２実施形態における帯電ワイヤの清掃
上記した第１実施形態と同様にして、ワイヤクリーナ６０を待機位置から右側へスライドさせると、ワイヤクリーナ６０の当接部６６が、ダクト壁６１の被当接部６５に左側から当接される。
【０１５１】
そして、図８（ｂ）に示すように、ワイヤクリーナ６０をさらに右側へスライドさせると、ワイヤクリーナ６０の当接部６６は、ダクト壁６１の被当接部６５を前側へ押圧する。
【０１５２】
すると、ダクト壁６１は、コイルばね６４の付勢力に抗して、ワイヤクリーナ６０の当接部６６に乗り上げるように、離間される。
【０１５３】
そして、図８（ｃ）に示すように、ワイヤクリーナ３２をさらに右側へスライドさせると、ダクト壁６１が前側へ傾倒されるように回動され、離間位置に配置される。
【０１５４】
このとき、整流部５２は、ワイヤクリーナ３２の操作部４４の前下側に配置される。すなわち、整流部５２は、左右方向から見てワイヤクリーナ３２の連結部４５と重ならない。
【０１５５】
また、ダクトカバー３３の前端縁６９とダクト壁６１の上端縁６８との間が、第２開口部として機能する。すなわち、第２開口部は、ダクト壁６１が離間位置に配置されたときに、ダクトカバー３３の前端縁６９とダクト壁６１の上端縁６８とによって区画される。
【０１５６】
そして、ワイヤクリーナ３２をさらに右側へスライドさせると、ワイヤクリーナ６０は、ダクトカバー３３の前端縁６９とダクト壁６１の上端縁６８との間を通過するように、右側へスライドされる。
【０１５７】
そして、上記したようにワイヤクリーナ６０を右側へスライドさせると、ワイヤクリーナ６０のスライドに伴って、清掃部材４１が右側へスライドされる。
【０１５８】
これにより、帯電ワイヤ３５の表面が、清掃部材４１によって清掃される。
【０１５９】
その後、ワイヤクリーナ６０を待機位置に戻すと、ダクト壁６１は、コイルばね６４の付勢力により、当接位置へ移動される。
（３）第２実施形態の作用効果
（３−１）第２実施形態のドラムユニット５によれば、図８（ａ）に示すように、操作部材４２が待機位置に配置されているときに、ダクト壁６１の被覆部６２の上端縁６８を、ダクトカバー３３の前端縁６９に当接させて、第２開口部を閉鎖することができる。また、図８（ｂ）に示すように、操作部材４２が待機位置から清掃位置へ移動させると同時に、ダクト壁６１の被覆部６２の上端縁６８を、ダクトカバー３３の前端縁６９から離間させて、第２開口部を開放することができる。
【０１６０】
そのため、操作部材４２の待機位置から清掃位置への移動を利用してダクト壁６１を離間位置へ移動させることができる。
【０１６１】
その結果、帯電ワイヤ３５の清掃作業を実施するときには、確実に、第２開口部を開放することができ、連結部４５の移動経路を確保することができる。
（３−２）また、第２実施形態のドラムユニット５によれば、図８（ｂ）に示すように、操作部材４２の当接部６６は、操作部材４２を待機位置から清掃位置へ移動させるときに、ダクト壁６１の被当接部６５を前側へ押圧する。
【０１６２】
そのため、操作部材４２の当接部６６により、確実に、ダクト壁６１をダクトカバー３３から離間させることができる。
【０１６３】
その結果、帯電ワイヤ３５の清掃作業を実施するときには、より確実に、第２開口部を開放することができ、連結部４５の移動経路を確保することができる。
（３−３）また、第２実施形態のドラムユニット５によれば、図８（ｃ）に示すように、ダクト壁６１の整流部６３は、ダクト壁６１が離間位置に配置されているときに、左右方向から見て連結部４５と重ならないように、ワイヤクリーナ３２の前下側に配置されている。
【０１６４】
そのため、ダクト３０内の気流を整流部６３によって整えることができながら、操作部材４２を操作するときには、整流部６３を、連結部４５に干渉しないように、ワイヤクリーナ３２の前下側に配置することができる。
【０１６５】
そのため、操作部材４２の操作性を確保しながら、ダクト３０内の気流を整えることができる。
（３−４）また、第２実施形態のドラムユニット５によれば、図８（ａ）に示すように、ダクト壁６１をダクトカバー３３に向かって付勢するコイルばね６４を備えていてもよい。
【０１６６】
そのため、操作部材４２を待機位置に配置させたときに、ダクトカバー３３を、確実に当接位置に配置させることができる。
（３−５）また、第２実施形態のドラムユニット５においても、上記した第１実施形態と同様の作用効果を得ることができる。
６．第３実施形態
図９を参照して、ドラムユニット５の第３実施形態を説明する。なお、第３実施形態において、第１実施形態と同様の部材には、同様の符号を付し、その説明を省略する。
【０１６７】
第３実施形態では、図９（ａ）に示すように、上記した第１実施形態の操作部４４に、突出部７１を設ける。
【０１６８】
突出部７１は、操作部４４の下端部から前側へ突出し、左右方向に延びる突条として形成されている。
【０１６９】
そして、突出部７１は、図９（ｂ）に仮想線で示すように、操作部材４２が待機位置よりも右側に配置されているときに、現像カートリッジ６と干渉する。
【０１７０】
第３実施形態のドラムユニット５によれば、操作部４４を操作するときに、突出部７１に指を置くことができる。
【０１７１】
そのため、操作部材４２の操作中に、誤って感光ドラム７などを触れることを防止することができる。
【０１７２】
そのため、操作部４４を容易かつ確実に操作することができる。
【０１７３】
また、第３実施形態のドラムユニット５によれば、図９（ｂ）に仮想線で示すように、操作部材４２が待機位置に配置されていない状態では、現像カートリッジ６と突出部７１とが干渉するため、現像カートリッジ６をカートリッジ収容部２７に装着することができない。
【０１７４】
そのため、操作部材４２が待機位置に配置されていない状態で、現像カートリッジ６がカートリッジ収容部２７に装着されることを抑制することができる。
【０１７５】
その結果、現像カートリッジ６をカートリッジ収容部２７に装着するときに、確実に、操作部材４２を待機位置に配置させることができる。
【０１７６】
また、第３実施形態のドラムユニット５においても、上記した第１実施形態と同様の作用効果を得ることができる。
７．第４実施形態
図１０を参照して、ドラムユニット５の第４実施形態を説明する。なお、第４実施形態において、第１実施形態と同様の部材には、同様の符号を付し、その説明を省略する。
【０１７７】
上記した第１実施形態では、ダクトカバー３３を離間位置に配置させて、対向部５５の下端縁５７をダクト壁３７の上端縁３９から離間させることにより、第２開口部を形成している。
【０１７８】
対して、第４実施形態では、図１０（ｂ）に示すように、壁部の一例としてのダクト壁８１に、第２開口部の一例としてのダクト開口８２を形成する。また、ダクト壁８１に、ダクト開口８２を開閉する開閉部材の一例としてのダクトシャッタ８３を設ける。
【０１７９】
ダクト開口８２は、ダクト壁８１を前後方向に貫通するように、左右方向に延びる略直線形状に形成されている。
【０１８０】
ダクトシャッタ８３は、左右方向に延び、その左右方向略中央で屈曲可能な略杆形状に形成されている。詳しくは、ダクトシャッタ８３は、互いに連結される第１シャッタ部材８４と第２シャッタ部材８５とを備えている。
【０１８１】
第１シャッタ部材８４は、ダクトシャッタ８３の左側半分を構成し、左右方向に延びる略杆形状に形成されている。
【０１８２】
第２シャッタ部材８５は、ダクトシャッタ８３の右側半分を構成し、左右方向に延びる略杆形状に形成されている。
【０１８３】
そして、第１シャッタ部材８４の右端部と、第２シャッタ部材８５の左端部とは、互いに回動可能に連結されている。
【０１８４】
また、ダクトシャッタ８３は、第１シャッタ部材８４の左端部において、ワイヤクリーナ３２の操作部４４に回動可能に連結されている。また、ダクトシャッタ８３は、第２シャッタ部材８５の右端部において、ダクト開口８２の右側のダクト壁８１に回動可能に連結されている。
【０１８５】
そして、ダクトシャッタ８３は、図１０（ａ）に示すように、ワイヤクリーナ６０が待機位置に配置されているときには、第１シャッタ部材８４と第２シャッタ部材８５とが略直線状に並ぶように、伸びている。このとき、ダクトシャッタ８３は、ダクト開口８２を閉鎖する閉位置に配置されている。なお、ダクトシャッタ８３が閉位置に配置されているときには、第１シャッタ部材８４と第２シャッタ部材８５との連結部分は、わずかに上側へ屈曲されている。
【０１８６】
そして、ダクトシャッタ８３は、図１０（ｂ）に示すように、ワイヤクリーナ６０が待機位置から清掃位置へ移動されたときに、第１シャッタ部材８４と第２シャッタ部材８５との連結部分において屈曲されながら上側へ退避される。これにより、ダクトシャッタ８３は、ダクト開口８２を開放する開位置に配置される。
【０１８７】
第４実施形態のドラムユニット５によれば、操作部材４２の待機位置から清掃位置への移動を利用して、ダクトシャッタ８３を閉位置から開位置へ移動させて、ダクト開口８２を開放することができる。
【０１８８】
そのため、帯電ワイヤ３５の清掃作業を実施するときに、確実に、ダクト開口８２を開放することができ、連結部４５の移動経路を確保することができる。
【０１８９】
また、第４実施形態のドラムユニット５においても、上記した第１実施形態と同様の作用効果を得ることができる。
【符号の説明】
【０１９０】
５      ドラムユニット
６      現像カートリッジ
７      感光ドラム
１１    スコロトロン型帯電器
２７    カートリッジ収容部
３０    ダクト
３３    ダクトカバー
３５    帯電ワイヤ
３７    ダクト壁
３９    上端縁
４１    清掃部材
４２    操作部材
４３    清掃部材支持部
４４    操作部
４５    連結部
５２    整流部
５４    弾性部
５７    下端縁
６１    ダクト壁
６３    整流部
６４    コイルばね
６６    当接部
６８    上端縁
６９    前端縁
７１    突出部
８１    ダクト壁
８２    ダクト開口
８３    ダクトシャッタ
【図１】
2013134365.tif 000003
【図２】
2013134365.tif 000004
【図３】
2013134365.tif 000005
【図４】
2013134365.tif 000006
【図５】
2013134365.tif 000007
【図６】
2013134365.tif 000008
【図７】
2013134365.tif 000009
【図８】
2013134365.tif 000010
【図９】
2013134365.tif 000011
【図１０】
2013134365.tif 000012